(57)【要約】【課題】店舗内と店外の気圧を検知し、略同圧になるように空調システムの制御を行うシステムを提供する。【解決手段】出入り口に店舗内の気圧を測定する店舗内気圧測定器と、店外の気圧を測定する店外気圧測定器を設け、店舗内気圧測定器と店外気圧測定器の値が略同値になるように送風装置の給排気量を制御する制御装置を設け、店舗内側の出入り口に沿ってエアカーテンを形成することができる店舗内送風機を設けたことを特徴とする。【選択図】図１
2012077953.tif 000002
【特許請求の範囲】
【請求項１】
排気送風機と給気送風機を備えた送風装置と、店舗内と店外とを人が出入りできる出入り口を備えた店舗において、出入り口に店舗内の気圧を測定する店舗内気圧測定器と、店外の気圧を測定する店外気圧測定器を設け、前記店舗内気圧測定器と前記店外気圧測定器の値が略同値になるように前記送風装置の給排気量を制御する制御装置を設け、店舗内側の出入り口に沿ってエアカーテンを形成することができる店舗内送風機を設けたことを特徴とする空調システム。
【請求項２】
排気送風機と給気送風機を備えた送風装置と、店舗内と店外とを人が出入りできる出入り口を備えた店舗において、出入り口に店舗内の気圧を測定する店舗内気圧測定器と、店外の気圧を測定する店外気圧測定器を設け、前記店舗内気圧測定器と前記店外気圧測定器の値が略同値になるように前記送風装置の給排気量を制御する制御装置を設け、店外側の出入り口に沿ってエアカーテンを形成することができる店外側送風機を設けたことを特徴とする空調システム。
【請求項３】
店外側の出入り口に沿ってエアカーテンを形成することができる店舗内送風機と店外送風機を設けたことを特徴とする、請求項１に記載の空調システム。
【請求項４】
店外と店舗の間に風除室を設け、風除室と店舗内を人が出入りできる店舗出入り口と風除室と店外を人が出入りできる屋外出入り口を有し、風除室内に排気送風機と給気送風機を備えた風除室送風装置を設け、屋外出入り口に風除室の気圧を測定する風除室気圧測定器と屋外の気圧を測定できる屋外気圧測定器を設け、前記風除室気圧測定器と前記屋外気圧測定器の値が略同値になるように前記風除室送風装置の給排気量を制御する風除室制御装置を設け、風除室側の屋外出入り口に沿ってエアカーテンを形成することができる風除室側送風機を設けたことを特徴とする空調システム。
【請求項５】
店外と店舗の間に風除室を設け、風除室と店舗内を人が出入りできる店舗出入り口と風除室と店外を人が出入りできる屋外出入り口を有し、風除室内に排気送風機と給気送風機を備えた風除室送風装置を設け、屋外出入り口に風除室の気圧を測定する風除室気圧測定器と屋外の気圧を測定できる屋外気圧測定器を設け、前記風除室気圧測定器と前記屋外気圧測定器の値が略同値になるように前記風除室送風装置の給排気量を制御する風除室制御装置を設け、店外側の屋外出入り口に沿ってエアカーテンを形成することができる風除室側送風機を設けたことを特徴とする空調システム。
【請求項６】
店外側の屋外出入り口に沿ってエアカーテンを形成することができる風除室側送風機を設けたことを特徴とする、請求項４に記載の空調システム。
【請求項７】
店舗側出入り口にエアカーテンを形成する店舗内送風機を設けたことを特徴とする請求項４に記載の空調システム。
【発明の詳細な説明】
【技術分野】
【０００１】
本発明は、店舗内の送風装置の給排気量の制御を行い、出入り口の開閉による塵や埃の含まれた外気の侵入もしくは店舗内空気の流出を低減する空調システムに関する。
【背景技術】
【０００２】
近年、食物を取り扱う店舗では、快適で、清潔な売場環境作りが最重要視されている。そこで、この問題に対処して、店舗内に給排気を行う給排気装置として全熱交換器を設置して給排気を行いながら、店内の空調の管理を行う空調システムが開発、提案されている（例えば、特許文献１参照）。
【先行技術文献】
【特許文献】
【０００３】
【特許文献１】特開２００８−１９０８２６
【発明の概要】
【発明が解決しようとする課題】
【０００４】
しかし、店舗に設けられたトイレや、作業室等には前記全熱交換器の他に局所排気送風装置（例えば換気扇）が設置されており、店舗内の給気量と排気量は一定ではない。
【０００５】
そのため、店舗には店外と人が出入りできる出入り口が設けられているが店外と店舗内の気圧が略同圧ではないため、出入り口が開閉された際に気圧差による空気の流出入が発生する。
【０００６】
例えば、店舗内が店外よりも気圧が低い場合、出入り口の開閉により店外の空気が店舗内に侵入する。店外の空気には、塵や埃が含まれており、この空気が店舗内に侵入することで、店舗内の空気を清浄に保つようにするために空調システムの消費電力が増大する。
【０００７】
店舗内が店外よりも気圧が高い場合には、出入り口の開閉により店舗内の空気が店外へ流出する。それにより店舗内を快適な空間にするために空調システムの消費電力が増大する。
【０００８】
本発明は係る従来の技術的課題を解決するために成されたものであり、店舗内と店外の気圧を検知し、略同圧になるように空調システムの制御を行うシステムを提供するものである。
【課題を解決するための手段】
【０００９】
上記目的を達成するために、請求項１の発明の空調システムは、排気送風機と給気送風機を備えた送風装置と、店舗内と店外とを人が出入りできる出入り口を備えた店舗において、出入り口に店舗内の気圧を測定する店舗内気圧測定器と、店外の気圧を測定する店外気圧測定器を設け、前記店舗内気圧測定器と前記店外気圧測定器の値が略同値になるように前記送風装置の給排気量を制御する制御装置を設け、店舗内側の出入り口に沿ってエアカーテンを形成することができる店舗内送風機を設けたことを特徴とする。
【００１０】
請求項２の発明の空調システムは、排気送風機と給気送風機を備えた送風装置と、店舗内と店外とを人が出入りできる出入り口を備えた店舗において、出入り口に店舗内の気圧を測定する店舗内気圧測定器と、店外の気圧を測定する店外気圧測定器を設け、前記店舗内気圧測定器と前記店外気圧測定器の値が略同値になるように前記送風装置の給排気量を制御する制御装置を設け、店外側の出入り口に沿ってエアカーテンを形成することができる店外側送風機を設けたことを特徴とする。
【００１１】
請求項３の発明の空調システムは、請求項１において、店外側の出入り口に沿ってエアカーテンを形成することができ店外送風機を設けたことを特徴とする。
【００１２】
請求項４の発明の空調システムは、店外と店舗の間に風除室を設け、風除室と店舗内を人が出入りできる店舗出入り口と風除室と店外を人が出入りできる屋外出入り口を有し、風除室内に排気送風機と給気送風機を備えた風除室送風装置を設け、屋外出入り口に風除室の気圧を測定する風除室気圧測定器と屋外の気圧を測定できる屋外気圧測定器を設け、前記風除室気圧測定器と前記屋外気圧測定器の値が略同値になるように前記風除室送風装置の給排気量を制御する風除室制御装置を設け、風除室側の屋外出入り口に沿ってエアカーテンを形成することができる風除室側送風機を設けたことを特徴とする。
【００１３】
請求項５の発明の空調システムは、店外と店舗の間に風除室を設け、風除室と店舗内を人が出入りできる店舗出入り口と風除室と店外を人が出入りできる屋外出入り口を有し、風除室内に排気送風機と給気送風機を備えた風除室送風装置を設け、屋外出入り口に風除室の気圧を測定する風除室気圧測定器と屋外の気圧を測定できる屋外気圧測定器を設け、前記風除室気圧測定器と前記屋外気圧測定器の値が略同値になるように前記風除室送風装置の給排気量を制御する風除室制御装置を設け、店外側の屋外出入り口に沿ってエアカーテンを形成することができる風除室側送風機を設けたことを特徴とする。
【００１４】
請求項６の発明の空調システムは、請求項４において、店外側の屋外出入り口に沿ってエアカーテンを形成することができる風除室側送風機を設けたことを特徴とする。
【００１５】
請求項７の発明の空調システムは、請求項６において、店舗側出入り口にエアカーテンを形成する店舗内送風機を設けたことを特徴とする。
【発明の効果】
【００１６】
請求項１または２の発明の空調システムは、排気送風機と給気送風機を備えた送風装置と、店舗内と店外とを人が出入りできる出入り口を備えた店舗において、出入り口に店舗内の気圧を測定する店舗内気圧測定器と、店外の気圧を測定する店外気圧測定器を設け、前記店舗内気圧測定器と前記店外気圧測定器の値が略同値になるように前記送風装置の給排気量を制御する制御装置を設け、
店舗内側もしくは屋外側の出入り口に沿ってエアカーテンを形成することができる店舗内送風機もしくは屋外側送風機を設けたことにより、屋外の塵や埃の含まれた空気が店内に流入したり、店舗内の空気が店外へ流出するのを防ぐことができ、店舗内を清浄に保つことができる。
【００１７】
請求項３の発明の空調システムは、店舗内側と屋外側の出入り口に沿ってエアカーテンを形成することができる店舗内送風機と屋外側送風機を設けたことにより、屋外の塵や埃の含まれた空気が店内に流入したり、店舗内の空気が店外へ流出するのを防ぐことができ、店舗内の空調システムの消費電力を抑制することができる。
【００１８】
請求項４または５の発明の空調システムは、店外と店舗の間に風除室を設け、風除室と店舗内を人が出入りできる店舗出入り口と風除室と店外を人が出入りできる屋外出入り口を有し、風除室内に排気送風機と給気送風機を備えた風除室送風装置を設け、屋外出入り口に風除室の気圧を測定する風除室気圧測定器と屋外の気圧を測定できる屋外気圧測定器を設け、前記風除室気圧測定器と前記屋外気圧測定器の値が略同値になるように前記風除室送風装置の給排気量を制御する風除室制御装置を設け、風除室側もしくは店外側の屋外出入り口に沿ってエアカーテンを形成することができる風除室側送風機もしくは屋外側送風機を設けたことにより、屋外の塵や埃の含まれた空気が店内に流入したり、店舗内の空気が店外へ流出するのを防ぐことができ、店舗内を清浄に保つことができる。
【００１９】
請求項６の発明の空調システムは、風除室側と店外側の屋外出入り口に沿ってエアカーテンを形成することができる風除室側送風機と屋外側送風機を設けたことにより、屋外の塵や埃の含まれた空気が店内に流入したり、店舗内の空気が店外へ流出するのを防ぐことができ、店舗内の空調システムの消費電力を抑制することができる。
【００２０】
請求項７の発明の空調システムは、請求項６に加えて店舗側出入り口にエアカーテンを形成する店舗内送風機を設けたことにより、より一層屋外の塵や埃の含まれた空気が店内に流入したり、店舗内の空気が店外へ流出するのを防ぐことができ、店舗内の空調システムの消費電力を抑制することができる。
【図面の簡単な説明】
【００２１】
【図１】店舗の出入り口に本発明を適用した店舗の側面図である。
【図２】店舗の風除室に本発明を適用した店舗の側面図である。
【発明を実施するための最良の形態】
【００２２】
以下、図面に基づき本発明の実施形態を詳細に説明する。
【００２３】
図１は本発明の空調システムの構成図である。図１に示すようにスーパーマーケット等の店舗１には、商品を陳列するための商品陳列棚と、冷蔵商品を陳列するための冷蔵用オープンショーケースと、冷凍商品を陳列するための氷温用ショーケース等の冷却機器と、会計を行うためのレジ台等が店内に設置されている。
【００２４】
そして、店舗１には店舗内３と店外を人が出入りできる出入り口２（例えば、スライドドア）が設置されている。
【００２５】
さらに店舗内３の天井には、店舗の広さに適した台数の照明器具が設置されている。
【００２６】
また店舗内３には、作業室が設けられており、前記作業室には、食品の調理や加工、包装等を行うことができる施設を備えている。この作業室内での作業に伴う蒸気や油煙が店内に漏れないように店外へ排出するための排気送風機４が設置されている。
【００２７】
さらに店舗内３には、トイレが設置されており、臭気が店内に漏れないように店外へ排出する排気送風機４が設置されている。
【００２８】
店舗内３には、店舗内の空調を維持するための空気調和機（例えばエアコン）と、店舗においては店舗の広さに応じてある一定量以上の換気（建築基準法施行令第２０条の２参照）を行う必要があるため換気設備として店舗内の空気を清浄に保つために店外の空気と給排気可能な送風装置８が設置されている。
【００２９】
前記送風装置８には排気装置としての店舗内排気送風機５と、給気装置としての店舗内給気送風機６と、冷房や暖房手段としての熱交換器７等から構成されており、店舗内３の空調や換気を行うことができる。
【００３０】
店舗の営業時間帯には、店舗内に設置された空気調和機や送風装置８を運転して売場環境を空調（例えば、冷房や暖房）して売場環境が快適な環境温度に保たれるように空調されている。
【００３１】
また、前記出入り口２の近傍には、店舗内側には店舗内の気圧を測定する店舗内気圧測定器９と、店外側には店外側の気圧を測定する店外気圧測定器１０が設置されている。
【００３２】
この店舗内気圧測定器９と店外気圧測定器１０の圧力を検知し、店舗内に設置された送風機の給排気量を制御する店舗内制御装置１１が送風機の近傍に設けられている。前記店舗内制御装置１１は、店舗内気圧測定器９と店外気圧測定器１０の値が略同値になるように制御を行い、店舗内の気圧の調整を行う。
【００３３】
上記構成により、前記店舗内制御装置１１を用いながら店舗内の排気量と給気量を制御することで出入り口付近における店舗内３と店外の気圧差を解消し、出入り口２が開閉された際に気圧差による空気の流出入を防止することができ、店舗内３に設置されている送風装置８や空気調和機の消費電力の抑制をすることができる。
【００３４】
さらに、出入り口２の近傍には、人感センサ１２が設置されており、店舗１における人の出入りを感知して出入り口２を開閉する構成になっている。
【００３５】
また、出入り口上方には、店舗内側、店外側それぞれにファンが内蔵されている店舗内送風機１３、店外送風機１４が設置されている。
【００３６】
前記店舗内送風機１３は、店舗内３の空気を吸気し、出入り口２に沿って上方から下方へエアカーテン１５を形成する。
【００３７】
同様に、前記店外送風機１４は、店外の空気を吸気し、出入り口２に沿って上方から下方へエアカーテン１６を形成する。
【００３８】
出入り口２に沿って形成される店舗側のエアカーテン１５、店外側のエアカーテン１６それぞれのエアカーテンの風速は略同速とし、出入り口２を挟んで平行に吹出すようにする。また、吹出し速度は、床面までエアカーテン１５、１６が達する程度の微風速で吹出す。吹出し速度が大きいと、出入り口２を通過する人に風が強く当たり、不快感を与えることになるためである。
【００３９】
そしてエアカーテン１５、１６は、出入り口２の近傍に設けられた人感センサ１２が作動した際に店舗内送風機１３と店外送風機１４が吹出しを開始してエアカーテン１５、１６を形成した後に出入り口２を開き、出入り口２が閉まった後に店舗内送風機１３と店外送風機１４の吹出しを止め、エアカーテン１５、１６の形成を停止するようにする。
【００４０】
出入り口２に２層のエアカーテン１５、１６が形成されることで、例えば、店舗内３が店外よりも気圧が高い場合、店舗内３に店外の塵や埃の含まれた不浄な空気が流入するのを抑制する。
【００４１】
また、店舗内３が店外よりも気圧が低い場合、店内の空気が店外へ流出するのを抑制する。
【００４２】
さらに、店舗内の空気調和機の使用により、店舗内の室温が店外と温度差のある場合にも、出入り口２に沿って形成される２層のエアカーテン１５、１６により店舗内３に温度差の異なる店外の空気が流入又は流出するのを抑制する。
【００４３】
そのため、店舗内３に設置されている空気調和機や送風装置８の空調負荷を抑制することができ、店舗１の消費電力の省エネ化を図ることができる。
【００４４】
但し、出入り口２において人の出入りの多い時間帯には、頻繁に店舗内送風機１３、店外送風機１４を発停させることになる。特に送風機を発動させる際により電力を消費する。
【００４５】
それを防止するために、そのような時間帯においては、店舗内送風機１３、店外送風機１４を停止させないで、店舗内送風機１３、店外送風機１４を調節して微量の風量を出しておくようにしておき、人感センサ１２が人の出入りを感知した際には所定の風量を出すようにする。
【００４６】
それにより、店舗内送風機１３、店外送風機１４の発停による消費電力の増大を抑制し、ついては店舗１の消費電力の抑制につながり、消費電力の省エネ化になる。
【００４７】
図１では、出入り口の店舗側、店外側にエアカーテンを形成する送風機１３、１４を設けたが、どちらか片側に設けてもよい。出入り口の片側に設ける場合も出入り口の両側に設ける場合と同様な効果を得ることができる。
【００４８】
また近年、屋外と屋内の空気の出入りの抑制や、空調による冷暖房効果を低下させないために風除室１７を設けているスーパーマーケット等の店舗１が見受けられるが、そのような店舗１において本発明を適用してもよい。
【００４９】
風除室１７は、店外と店舗内３の空気の出入りを妨げる目的で設置されている空間であるが、人の出入りにより空気の対流が起こり、店舗内１に店外の塵や埃の含まれた空気が流入してしまう。そこで、本発明を適用し、上記問題点を解消する。
【００５０】
即ち、図２のように屋外と店舗の間に風除室１７を設ける。風除室１７には、店舗内３と風除室１７とを人が出入りできる店舗出入り口１８（例えば、スライドドア）と、屋外と風除室１７とを人が出入りできる屋外出入り口１９（例えば、スライドドア）が設けられている。
【００５１】
また風除室１７には、風除室用送風装置２０が設けられている。前記風除室用送風装置２０には、風除室１７内の空気を屋外に排気する風除室排気送風機２１と屋外の空気を風除室に給気する風除室給気送風機２２が設置されている。そして、前記風除室用送風装置２０の近傍には、送風装置による給排気量を制御する給排気量制御装置２３が設置されている。
【００５２】
そして、風除室１７に設けられた屋外出入り口１９の近傍の風除室側には、風除室１７の気圧を測定できる風除室気圧測定器２８と、屋外側には、屋外の気圧を測定できる屋外気圧測定器２９を設置されている。
【００５３】
風除室１７と屋外に気圧差が生じている場合には、風除室気圧測定器２８と屋外気圧測定器２９が給排気量制御装置２３と連動して風除室用送風機２０内の風除室給気送風機２２もしくは、風除室排気送風機２１の給排気量を調整して、風除室気圧測定器２８と屋外気圧測定器２９の値が略同値になるように調整を行う。
【００５４】
上記構成により、風除室１７内の排気量と給気量を給排気量制御装置２３にて制御を行うことで、屋外出入り口１９の付近における風除室１７と屋外の気圧差を解消することができ、屋外出入り口１９が開いた際に気圧差による空気の流出入を防止することができる。
【００５５】
さらに、屋外出入り口１９の上方の風除室側には風除室側送風機２４と、屋外側には屋外側送風機２５が設置されている。
【００５６】
前記風除室側送風機２４は、風除室１７内の空気を吸気して、屋外出入り口１９に沿って上方から下方へエアカーテン２６を形成する。
【００５７】
また、屋外側送風機２５は、屋外の空気を吸気して、屋外出入り口１９に沿って上方から下方へエアカーテン２７を形成する。
【００５８】
屋外出入り口１９に沿って形成される風除室側のエアカーテン２６と、屋外側に形成されるエアカーテン２７それぞれのエアカーテン２６、２７の風速は略同速とし、屋外出入り口１９を隔てて平行に吹出すようにする。
【００５９】
また吹出し速度は、床面までエアカーテン２６、２７が形成できる程度の微風速で吹出す。吹出し速度が大きいと、屋外出入り口１９を通過する人に風が強く当たり、不快感を与えることになるためである。
【００６０】
更に、屋外出入り口１９の近傍には屋外出入り口用人感センサ３０が設置されている。前記屋外出入り口用人感センサ３０が人の出入りを感知して屋外出入り口１９の開閉を行っている。
【００６１】
屋外出入り口１９に沿って形成されるエアカーテン２６、２７は屋外出入り口用人感センサ３０が作動した後に風除室側送風機２４と屋外側送風機２５によりエアカーテン２６、２７の形成を開始してから屋外出入り口１９を開き、屋外出入り口１９が閉まった後に、風除室側送風機２４と屋外側送風機２５からの吹出しを止め、エアカーテン２６、２７の形成を停止する。
【００６２】
屋外出入り口１９に沿って形成されるエアカーテン２６、２７により、屋外出入り口１９が開閉されて人の出入りのある場合に、風除室１７に屋外の塵や埃の含まれた不浄な空気が流入もしくは風除室１７の空気が屋外へ流出するのを抑制する。
【００６３】
さらに、屋外出入り口１９の開閉による空気の流出入が発生しても、屋外の塵や埃の含まれた不浄な空気が屋外出入り口１９に沿って形成されるエアカーテン２６、２７により店舗内３には侵入が出来ないため、店舗内３を清浄に保つことができ、店舗内３に設置されている空気調和機や店舗内送風機８の空調負荷を抑制することもできるため店舗１の消費電力の省エネ化を図ることができる。
【００６４】
但し、屋外出入り口１９において人の出入りが多い時間帯には、風除室側送風機２４と屋外側送風機２５を頻繁に発停させることになる。特に発動させる際により電力を消費する。店舗１として消費電力の抑制するために、そのような時間帯には、風除室側送風機２５と屋外側送風機２６を停止させないで、風量を調節して微量の風量を出しておくようにしておき、屋外出入り口用人感センサ３０が人の出入りを感知した際には、所定の風量を出してエアカーテン２６、２７を形成する。
【００６５】
それにより、風除室側送風機２４と屋外側送風機２５の発停による消費電力の増大を抑制し、ついては店舗１の消費電力の抑制につながり、消費電力の省エネ化になる。
【００６６】
図２では、屋外出入り口１９の近傍に風除室側送風機２５と屋外側送風機２６を設け、風除室と屋外の気圧が略同圧になるように、給排気量制御装置２３で風除室排気送風機２１の給排気量を制御しているが、店舗出入り口にもエアカーテンを形成することができる店舗内送風機１３と店外送風機１４を設けて
店舗内３に設置された給排気可能な送風機８を制御してもよい。
【００６７】
即ち、図１と同様に店舗出入り口１８の近傍に店舗内３の気圧を測定する店舗気圧測定器、風除室の気圧を測定する気圧測定器を設ける。
【００６８】
前記店舗気圧測定器と前記気圧測定器と連動して前記送風機の給排気量を制御する制御器を前記送風機の近傍に設ける。前記制御器は店舗気圧測定器と前記気圧測定器の値が略同値になるように制御を行う。
【００６９】
そして、店舗出入り口１８の近傍に店舗内側には店舗内側送風機と、風除室側には、出入り口送風機を設ける。
【００７０】
店舗内側送風機は店舗内の空気を吸気して、出入り口送風機は風除室の空気を吸気して、それぞれ店舗出入り口１８に沿って上方から下方へエアカーテンを形成する。
【００７１】
店舗出入り口１８に沿って形成されたエアカーテンの風速は略同速とし、店舗出入り口１８を隔てて平行に吹出すようにする。また、吹出し速度は、床面まで達する程度の微風速で吹出す。吹出し速度が大きいと店舗出入り口１８を通過する人に風が強く当たり、不快感を与えることにある。
【００７２】
また、店舗出入り口１８の近傍には人感センサを設ける。人感センサが感知した場合に店舗出入り口１８が開閉する。
【００７３】
人感センサが感知して、店舗出入り口１８に設けられた店舗内側送風機と出入り口送風機が作動しエアカーテンの形成した後店舗出入り口１８が開き、店舗出入り口１８が閉まった後に吹出しをやめ、エアカーテンの形成を停止する。
【００７４】
これにより、より一層人の出入りや、屋外の風等の影響による空気の流動によって屋外の塵や埃の含まれた不浄な空気が店舗内へ流入もしくは、店舗内の空気が店舗外へ流出するのを抑制できる。
【００７５】
さらに、店舗内の空気調和機の使用時、店舗内と屋外で温度差がある場合にも、店舗内３の空気の店舗外への流出、もしくは流入を抑制することができる。
【００７６】
図１、図２の実施例では、出入り口の近傍に２つの送風機を設け出入り口に沿って２層のエアカーテンを形成しているが、出入り口の近傍に片側だけに送風機を設け１層のエアカーテンを形成する場合でも同様に上記のような効果が得られることが可能である。
【００７７】
また、風除室１７のある店舗においても、店舗内３と風除室１７との出入り口もしくは風除室１７と屋外との出入り口どちらか片方の出入り口の近傍に２つの送風機を設けた場合にも上記のような効果が得られることが可能である。
【符号の説明】
【００７８】
１    店舗
２    出入り口
４    排気送風機
５    店舗内排気送風機
６    店舗内給気送風機
７    熱交換器
９    店舗内気圧測定器
１０    店外気圧測定器
１１    店舗内制御装置
１２    人感センサ
１３    店舗内送風機
１４    店外送風機
１５、１６、２６、２７    エアカーテン
１７    風除室
１８    店舗出入り口
１９    屋外出入り口
２１    風除室排気送風機
２２    風除室給気送風機
２３    給排気量制御装置
２４    風除室側送風機
２５    屋外側送風機
２８    風除室側気圧測定器
２９    屋外側気圧測定器
【図１】
2012077953.tif 000003
【図２】
2012077953.tif 000004